(57)【要約】【課題】ドクターブレードの交換作業を簡単に行うことのできるドクター装置のドクターブレード装着方法を提案すること。【解決手段】ドクター装置１はドクターブレード３を着脱可能に保持しているブレード差込溝４５を備えている。ドクターブレード３の交換時には、磨耗したドクターブレード３をブレード差込溝４５から横方に引き抜く。次に、クリーニング用ブレード１５を、その傾斜端面１５ａの側からブレード差込溝４５の一方の端から差し込み、その中を通して他方の端から引き出す。ブレード差込溝４５に詰まっている異物が傾斜端面１５ａによってブレード差込溝４５の前側の開口部から外に押し出される。この後に、新たなドクターブレード３をブレード差込溝４５に装着する作業を簡単に行うことができる。【選択図】図４
2008127729.tif 000002
【特許請求の範囲】
【請求項１】
ドクターブレードと、このドクターブレードを抜き差し可能な状態で保持しているブレード差込溝を備えたブレード保持機構とを有しているドクター装置におけるドクターブレードの装着方法であって、
前記ブレード差込溝の長手方向の一方の端からクリーニング用ブレードを差し込み、当該ブレード差込溝の他方の端から当該クリーニング用ブレードを引き抜くことにより、前記ブレード差込溝内の異物を除去し、
しかる後に、前記ドクターブレードを前記ブレード差込溝の一方の端から差し込むことにより、当該ドクターブレードを前記ブレード差込溝に装着した状態を形成し、
前記クリーニング用ブレードとして、前記ブレード差込溝に差し込まれる差込側端部が、前記ブレード差込溝の奥側から開口側に向けて差込方向に後退している形状のものを用いることを特徴とするドクター装置のドクターブレード装着方法。
【請求項２】
請求項１において、
前記クリーニング用ブレードの前記差込側端部が、前記差込方向に対して90度未満の角度だけ傾斜している形状のものを用いることを特徴とするドクター装置のドクターブレード装着方法。
【請求項３】
請求項１または２において、
前記クリーニング用ブレードの両端部のうち、少なくとも前記差込側端部に貫通穴を形成しておき、
前記ブレード差込溝の一方の端から差し込まれた前記クリーニング用ブレードを、前記貫通穴に通した紐を介して、前記ブレード差込溝の他方の端から引張ることを特徴とするドクター装置のドクターブレード装着方法。
【請求項４】
請求項１ないし３のうちのいずれかの項において、
前記クリーニング用ブレードの外周端部の角が鈍角となるように設定することを特徴とするドクター装置のドクターブレード装着方法。
【請求項５】
ドクターブレードと、このドクターブレードを抜き差し可能な状態で保持しているブレード差込溝を備えたブレード保持機構とを有しているドクター装置におけるブレード差込溝のクリーニング方法であって、
前記ブレード差込溝の一方の端からクリーニング用ブレードを差し込み、当該ブレード差込溝の他方の端から当該クリーニング用ブレードを引き抜くことにより、前記ブレード差込溝内の異物を除去し、
前記クリーニング用ブレードとして、前記ブレード差込溝に差し込まれる差込側端部が、前記ブレード差込溝の奥側から開口側に向けて差込方向に後退している形状のものを用いることを特徴とするドクター装置のブレード差込溝のクリーニング方法。
【請求項６】
請求項５において、
前記クリーニング用ブレードの前記差込側端部が、前記差込方向に対して90度未満の角度だけ傾斜している形状のものを用いることを特徴とするドクター装置のブレード差込溝のクリーニング方法。
【請求項７】
請求項５または６において、
前記クリーニング用ブレードの両端部のうち、少なくとも前記差込側端部に貫通穴を形成しておき、
前記ブレード差込溝の一方の端から差し込まれた前記クリーニング用ブレードを、前記貫通穴に通した紐を介して、前記ブレード差込溝の他方の端から引張ることを特徴とするドクター装置のブレード差込溝のクリーニング方法。
【請求項８】
請求項５ないし７のうちのいずれかの項において、
前記クリーニング用ブレードの外周端部の角が鈍角となるように設定することを特徴とするドクター装置のブレード差込溝のクリーニング方法。
【請求項９】
請求項５に記載のクリーニング方法に用いるクリーニング用ブレードであって、
クリーニング対象のドクター装置のブレード差込溝に差し込まれる差込側端部、前記ブレード差込溝の奥側から開口側に向けて差込方向に後退している形状となっていることを特徴とするクリーニング用ブレード。
【請求項１０】
請求項９において、
前記差込側端部が、前記差込方向に対して90度未満の角度だけ傾斜した形状となっていることを特徴とするクリーニング用ブレード。
【請求項１１】
請求項９または１０において、
前記差込側端部には、紐を通すための貫通穴が形成されていることを特徴とするクリーニング用ブレード。
【請求項１２】
請求項９ないし１１のうちのいずれかの項において、
外周端部の角が鈍角となるように設定されていることを特徴とするクリーニング用ブレード。
【発明の詳細な説明】
【技術分野】
【０００１】
本発明は、抄紙機ロール、製鉄用ロールなどのロールの外周面にドクターブレードを圧接することにより、当該外周面に付着している紙かすなどの異物を掻き落とすドクター装置に関するものである。さらに詳しくは、ドクターブレードを着脱可能な状態で保持しているブレード保持機構のブレード差込溝にドクターブレードを装着する方法、当該ブレード差込溝に詰まった異物を除去するためのクリーニング方法および、これらの方法に用いるクリーニング用ブレードに関するものである。
【背景技術】
【０００２】
抄紙機ロールなどのロールの外周面に付着した異物を掻き落とすためのドクター装置としては、ドクターブレードを回転しているロールの外周面に圧接させることにより異物を掻き落とす構造のものが知られている。このようなドクター装置では、使用によって刃先が磨耗したドクターブレードを交換できるように、ドクターブレードを保持しているブレード保持機構として、ドクターブレードを着脱可能な状態で保持しているブレード保持溝を備えている。ドクターブレードは、その長手方向の一方の端から、ブレード保持溝の長手方向の一方の端部に差し込まれ、当該ブレード保持溝に装着される。かかるドクター装置は特許文献１、２などに開示されている。
【特許文献１】特開平１１−２１７８３
【特許文献２】特開平１１−２７９９８１
【発明の開示】
【発明が解決しようとする課題】
【０００３】
ここで、このようなドクター装置においては、ブレード保持溝に対してドクターブレードを抜き差しする際に、当該ブレード保持溝に紙滓その他の異物が侵入して当該ブレード保持溝が詰まることがある。ブレード保持溝に異物が詰まると、その後におけるドクターブレード交換作業において、新たなドクターブレードをブレード保持溝に差し込む際に、異物が詰まっているために、ドクターブレードの抜き差し時に、ブレード差込溝とドクターブレードの間に異物が詰まり、抜き差しの作業が困難になるという問題点がある。特に、面長の長いロールに設置されるドクター装置では、ロール面長さに対応して長いドクターブレードをブレード差込溝の端から差し込む必要があるので、ドクターブレードの抜き差し作業が極めて困難になってしまう。
【０００４】
本発明の課題は、このような点に鑑みて、ブレード差込溝に異物が詰まっている場合におけるドクターブレードの抜き差し作業を簡単に行うことのできるドクター装置のドクターブレード装着方法、ブレード保持溝のクリーニング方法、および、これらの方法に用いるクリーニング用ブレードを提案することにある。
【課題を解決するための手段】
【０００５】
上記の課題を解決するために、本発明は、ドクターブレードと、このドクターブレードを抜き差し可能な状態で保持しているブレード差込溝を備えたブレード保持機構とを有しているドクター装置におけるドクターブレードの装着方法であって、
前記ブレード差込溝の一方の端からクリーニング用ブレードを差し込み、当該ブレード差込溝の他方の端から当該クリーニング用ブレードを引き抜くことにより、前記ブレード差込溝内の異物を除去し、
しかる後に、前記ドクターブレードを前記ブレード差込溝の一方の端から差し込むことにより、当該ドクターブレードを前記ブレード差込溝に装着した状態を形成し、
前記クリーニング用ブレードとして、前記ブレード差込溝に差し込まれる差込側端部が、前記ブレード差込溝の奥側から開口側に向けて差込方向に後退している形状のものを用いることを特徴としている。例えば、前記クリーニング用ブレードの前記差込側端部が、前記差込方向に対して90度未満の角度だけ傾斜している形状のものを用いることを特徴としている。
【０００６】
クリーニング用ブレードの差込側端部が、ブレード差込溝の奥側から開口側に向けて差込方向に後退した形状、例えば傾斜面となっているので、当該クリーニング用ブレードをブレード差込溝に差し込むと、その内部に詰まっている異物が差込側端部の端面に沿ってブレード差込溝の外部に押し出される。よって、ブレード差込溝に詰まっている異物を簡単に除去できる。この結果、ドクターブレードをブレード差込溝に差し込む作業を簡単に行うことができる。
【０００７】
ここで、前記クリーニング用ブレードの両端部のうち、少なくとも前記差込側端部に貫通穴を形成しておき、前記ブレード差込溝の一方の端から差し込まれた前記クリーニング用ブレードを、前記貫通穴に通した紐を介して、前記ブレード差込溝の他方の端から引張ることが望ましい。このようにすれば、クリーニング用ブレードをブレード差込溝に通す作業を簡単に行うことができる。
【０００８】
また、前記クリーニング用ブレードの外周端部の角が鈍角となるように設定することが望ましい。外周端部が鋭角の場合には、クリーニング用ブレードの取り扱い時に怪我をするおそれがあるが、90度以上の角度にしておけば、クリーニング用ブレードを安全に取り扱うことができる。
【０００９】
次に、本発明は、ドクターブレードと、このドクターブレードを抜き差し可能な状態で保持しているブレード差込溝を備えたブレード保持機構とを有しているドクター装置におけるブレード差込溝のクリーニング方法であって、前記ブレード差込溝の一方の端からクリーニング用ブレードを差し込み、当該ブレード差込溝の他方の端から当該クリーニング用ブレードを引き抜くことにより、前記ブレード差込溝内の異物を除去し、前記クリーニング用ブレードとして、前記ブレード差込溝に差し込まれる差込側端部の形状を、ブレード差込溝の奥側から開口側に向けて差込方向に後退した形状、たとえば、差込方向に対して90度未満の角度だけ傾斜させたものを用いることを特徴としている。
【００１０】
ここで、前記クリーニング用ブレードの両端部のうち、少なくとも前記差込側端部に貫通穴を形成しておき、前記ブレード差込溝の一方の端から差し込まれた前記クリーニング用ブレードを、前記貫通穴に通した紐を介して、前記ブレード差込溝の他方の端から引張ることが望ましい。また、前記クリーニング用ブレードの外周端部の角を鈍角とすることが望ましい。
【００１１】
次に、本発明は上記のクリーニング方法に用いるクリーニング用ブレードであって、クリーニング対象のドクター装置のブレード差込溝に差し込まれる差込側端部の形状が、ブレード差込溝の奥側から開口側に向けて差し込み方向に後退した形状、例えば、差込方向に対して90度未満の角度だけ傾斜した形状となっていることを特徴としている。
【００１２】
ここで、前記差込側端部には、紐を通すための貫通穴が形成されていることが望ましい。また、外周端部の角が鈍角となっていることが望ましい。
【発明の効果】
【００１３】
本発明では、クリーニング用ブレードを用いて、ドクター装置のブレード差込溝に詰まった異物を除去し、しかる後に、ドクターブレードを当該ブレード差込溝に装着するようにしている。クリーニング用ブレードを用いることにより、ブレード差込溝に対するドクターブレードの装着作業を簡単に行うことができる。
【発明を実施するための最良の形態】
【００１４】
以下に、図面を参照して、本発明を適用したドクター装置におけるドクターブレードの装着方法を説明する。
【００１５】
図１は本発明を適用可能なドクター装置の一例を示す概略斜視図であり、図２はその動作を示す説明図である。ドクター装置１は、ドクタリング対象のロール２の外周面２ａに圧接されるドクターブレード３と、このドクターブレード３を保持しているブレードホルダ４と、このブレードホルダ４を支持しているドクターバック５とを備えている。
【００１６】
ドクターバック５の両端部には支軸６が取り付けられており、各支軸６は左右の架台７に取り付けた軸受け８によって回転可能な状態で支持されている。ドクターバック５は不図示のターンバックルなどによって支軸６を中心として所定の旋回位置に保持され、これによってドクターブレード３のロール２の外周面２ａに対する圧接角が調節されている。ブレードホルダ４はドクターバック５によって、ロールの外周面２ａに接近および離間する方向に旋回可能な状態で支持されている。ブレードホルダ４の旋回位置を調節することにより、ドクターブレード３のロール２の外周面２ａに対する圧接力を調節できる。
【００１７】
ドクターブレード３はブレードホルダ４に対して着脱可能な状態で保持されている。ドクターブレード３の交換作業は、図２において想像線で示すように、ブレードホルダ４を旋回させてドクターブレード３をロール２の外周面２ａに圧接した状態から開放した状態で行われる。
【００１８】
図３はドクター装置１を示す概略構成図である。ドクター装置１のドクターブレード３は、ロール２の外周面２ａの面長より僅かに長い細幅の長方形のものであり、その前端縁には外周面２ａに圧接される刃先３１が形成されている。その後端部分３２はブレードホルダ４によって着脱可能な状態で保持されている。ブレードホルダ４は、トッププレート４１と、この裏面側に一定の間隔で取り付けられているフィンガプレート４２と、各フィンガプレート４２を貫通して延びる連結ロッド４３とを備えている。連結ロッド４３の左右の両端は、ドクターバック５の上面の左右の端に固着した左右のブラケット５１によって回転自在に支持されている。
【００１９】
ここで、フィンガプレート４２の前端部分は、その下端から前方に延び、その前端が上方に直角に折れ曲がってトッププレート４１に到る手前まで延びているＬ形状の保持腕４４となっている。上側のトッププレート４１の前側部分４１ａは保持腕４４よりも前方に突出している。これらトッププレート４１の前側部分４１ａと、保持腕４４の間に、ドクターブレード３が着脱可能な状態で差し込まれているブレード差込溝４５が形成されている。ブレード差込溝４５の左右の端は開放状態となっており、一方の端からドクターブレード３を差し込むことにより、図に示す状態にドクターブレード３の装着状態を形成できる。
【００２０】
装着状態においては、ドクターブレード３の前側部分が上からトッププレート４１の前端縁４１ｂによって押し付けられ、ドクターブレード３におけるこれよりも後側の部分が下側から保持腕４４によって押し付けられ、保持腕４４とドクターブレード３の間に配置されているばね部材４６によって、ドクターブレード３が抜け出ないように保持されている。
【００２１】
次に、ブレードホルダ４を支持しているドクターバック５の上面にはボトムプレート５２が取り付けられており、このボトムプレート５２とブレードホルダ４のフィンガプレート４２の間には、連結ロッド４３を挟み加圧用チューブ４７および開放用チューブ４８が配置されている。これらのチューブ４７、４８は、空気圧回路１０における切り換え弁１１を介して、圧縮空気供給源１２の側に繋がっている。加圧用チューブ４７に圧縮空気を供給して膨張させ、開放用チューブ４８の側を大気開放すれば、連結ロッド４３を中心として、ブレードホルダ４はドクターブレード３をロール２の側に押し付ける方向に旋回する。逆に、加圧用チューブ４７を大気開放し、開放用チューブ４８の側に圧縮空気を供給すれば、連結ロッド４３を中心として、ブレードホルダ４はドクターブレード３をロール２から離す方向に旋回する（図２参照）。
【００２２】
次に、図４はブレード差込溝４５に詰まった異物を除去するためのクリーニング用ブレードを示す平面図および側面図である。クリーニング用ブレード１５は、例えばステンレススチール製のブレードであり、ドクターブレード３と同一幅および厚さのものであり、長さがロール面長よりも短い。クリーニング用ブレード１５の一方の側の端１５ａ（差込側端部）は、その後端縁１５ｂから前端縁１５ｃに向けて３０度の角度で切断された傾斜端面となっている。反対側の端１５ｄは前後の縁に直交する直交端面となっている。
【００２３】
クリーニング用ブレード１５はほぼ同一厚さのブレードであり、その外周端面の角はほぼ90度の鈍角とされている。さらに、その前端縁１５ｃにおける傾斜端面１５ａの側の隅、および、その後端縁１５ｂにおける直交端面１５ｄの側の隅には、それぞれ、紐を通すための円形貫通穴１５ｅ、１５ｆが形成されている。後端縁１５ｂの側の裏面には、後端縁１５ｂに沿って所定の間隔でビス１５ｇが取り付けられている。
【００２４】
ドクター装置１におけるドクターブレード３の交換時には、ブレード差込溝４５からドクターブレード３を横方向に抜き出す。この後、ブレード差込溝４５に異物が詰まっている場合には、クリーニング用ブレード１５を、ブレード差込溝４５の一方の端から他方の端まで通し、他方の端から引き抜く。クリーニング用ブレード１５の傾斜端面１５ａを差込側端面としてブレード差込溝４５に差し込み、当該ブレード差込溝４５に沿って他方の端に向けて引き出す。また、クリーニング用ブレード１５の前端縁１５ｃがブレード差込溝４５の開口側に位置し、後端縁１５ｂがブレード差込溝４５の奥側に位置するように、クリーニング用ブレード１５を差し込む。
【００２５】
クリーニング用ブレード１５の傾斜端面１５ａは、ブレード差込溝４５の奥側から開口側に向けて差込方向に後退しているので、クリーニング用ブレード１５の移動に伴って、その傾斜端面１５ａに沿って内部に詰まっている異物が、ブレード差込溝４５の開口側から外部に押し出されて排出される。したがって、クリーニング用ブレード１５をブレード差込溝４５に通すことによって、そこに詰まっている異物が確実に取り除かれる。よって、この後に、新たなドクターブレード３をブレード差込溝４５に差し込んで装着する作業を極めて簡単に行うことができる。すなわち、異物が、差し込まれたドクターブレード３とブレード差込溝４５の間に詰まり、ドクターブレード３を差し込むことができなくなる、などの弊害が発生しない。
【００２６】
ここで、クリーニング用ブレード１５をブレード差込溝４５に通す作業を簡単に行うためには、クリーニング用ブレード１５の貫通穴１５ｅに紐を通しておき、ブレード差込溝４５に差し込まれたクリーニング用ブレード１５を紐で他方の端に向けて引き出すようにすればよい。
【００２７】
なお、クリーニング用ブレード１５の傾斜端面１５ａの傾斜角度は３０度以外の角度でもよい。また、ブレード差込溝４５の奥側から開口側に向けて差込方向に後退している形状であればよいので、たとえば、曲線状の端面としてもよく、全体として、後端縁１５ｂから前端縁１５ｃに向けて差込方向に後退している形状とすればよい。また、クリーニング用ブレード１５の外周端面の角を90度としてあるが、例えば、凸円弧状の端面とすることもできる。
【図面の簡単な説明】
【００２８】
【図１】本発明を適用可能なドクター装置の概略斜視図である。
【図２】図１のドクター装置の動きを示す説明図である。
【図３】図１のドクター装置の概略構成図である。
【図４】図１のドクター装置に用いるクリーニング用ブレードの例を示す平面図および側面図である。
【符号の説明】
【００２９】
１    ドクター装置
２    ロール
２ａ  外周面
３    ドクターブレード
４    ブレードホルダ
５    ドクターバック
６    支軸
７    架台
８    軸受け
１０  空気圧回路
１１  切り換え弁
１２  圧縮空気供給源
１５  クリーニング用ブレード
１５ａ  傾斜端面
１５ｂ  後端縁
１５ｃ  前端縁
１５ｄ  直交端面
１５ｅ、１５ｆ  貫通穴
１５ｇ  ビス
３１  刃先
３２  後端部分
４１  トッププレート
４１ａ  前側部分
４１ｂ  前端縁
４２  フィンガプレート
４３  連結ロッド
４４  保持腕
４５  ブレード差込溝
４６  ばね部材
４７  加圧用チューブ
４８  開放用チューブ
５１  ブラケット
５２  ボトムプレート
【図１】
2008127729.tif 000003
【図２】
2008127729.tif 000004
【図３】
2008127729.tif 000005
【図４】
2008127729.tif 000006